(57)【要約】      （修正有）【課題】写真と色紙とを別々に、かつ、一体的に保持でき、色紙に対して寄せ書き等を記載するスペースを十分に確保できるような写真貼付機能付色紙保持具を提供する。【解決手段】写真貼付機能付色紙保持具は、色紙貼付領域３と、写真用貼付用紙貼付領域４とを左右配置に具備し、中央部で折り畳み可能に構成した台紙２における色紙貼付領域３に色紙５を貼付し、写真用貼付用紙貼付領域４に横長配置又は縦長配置に写真７を貼付可能な写真用貼付用紙６を貼付した構成としたものである。【選択図】図３
0003140683.tif 000002
【実用新案登録請求の範囲】
【請求項１】
色紙と、
写真を貼付可能な写真用貼付用紙と、
前記色紙を貼付する色紙貼付領域及び前記写真用貼付用紙を貼付する写真用貼付用紙貼付領域を有する台紙と、
を含むことを特徴とする写真貼付機能付色紙保持具。
【請求項２】
色紙貼付領域と、写真用貼付用紙貼付領域とを具備する台紙における前記色紙貼付領域に色紙を貼付し、前記写真用貼付用紙貼付領域に写真を貼付可能な写真用貼付用紙を貼付したこと、
を特徴とする写真貼付機能付色紙保持具。
【請求項３】
色紙貼付領域と、写真用貼付用紙貼付領域とを左右配置に具備し、中央部で折り畳み可能に構成した台紙における前記色紙貼付領域に色紙を貼付し、前記写真用貼付用紙貼付領域に横長配置又は縦長配置に写真を貼付可能な写真用貼付用紙を貼付したこと、
を特徴とする写真貼付機能付色紙保持具。
【請求項４】
色紙と、
写真を横長配置又は縦長配置に貼付可能な写真用貼付用紙と、
前記色紙を貼付する色紙貼付領域及び前記写真用貼付用紙を貼付する写真用貼付用紙貼付領域を有し、折り畳み可能に構成した台紙と、
前記色紙、写真用貼付用紙を台紙に貼り付けるための貼付材と、
を含むことを特徴とする写真貼付機能付色紙保持具セット。
【請求項５】
写真貼付機能付色紙保持具複数の色紙貼付領域と、複数の写真用貼付用紙貼付領域と形成する複数枚の紙葉を綴り、折り畳み可能に構成した冊子状台紙を具備し、前記複数の色紙貼付領域に複数の色紙を貼付し、前記複数の写真用貼付用紙貼付領域に横長配置又は縦長配置に写真を貼付可能な複数の写真用貼付用紙を貼付したこと、
を特徴とする写真貼付機能付色紙保持具。
【請求項６】
複数枚の色紙と、
写真を横長配置又は縦長配置に貼付可能な複数枚の写真用貼付用紙と、
複数の色紙貼付領域と、複数の写真用貼付用紙貼付領域と形成する複数枚の紙葉を綴り、折り畳み可能に構成した冊子状台紙と、
前記各色紙、各写真用貼付用紙を冊子状台紙に貼り付けるための貼付材と、
を含むことを特徴とする写真貼付機能付色紙保持具セット。
【考案の詳細な説明】
【技術分野】
【０００１】
本考案は、写真貼付機能付色紙保持具及び写真貼付機能付色紙保持具セットに関するものである。
【背景技術】
【０００２】
従来、特定の者の何等かの記念式典等において、例えば一枚の色紙上に記念写真を貼付し、かつ、この色紙の紙面に祝福を贈る周囲の複数の者が寄せ書き等を記載して、当該色紙を特定の者（受賞者等）に贈呈することがよく行われている。
【０００３】
このような場合、一枚の色紙上に記念写真を貼付し、かつ、寄せ書き等を記載しなければならないため、寄せ書き等を記載するスペースが狭小になってしまい、周囲の複数の者の祝福を贈る意図を十分に記載しきれないという不都合が生じる。
【０００４】
特許文献１には、写真及び寄せ書き等がある色紙を収納部分に収め、かつ、透明フィルム等で覆う構成としたアルバム状の台紙が開示されている。
【０００５】
しかし、この特許文献１の場合も、一枚の色紙上に記念写真と寄せ書き等とを併せて表示する構成であるため、やはり寄せ書き等を記載するスペースが狭小になってしまう。
【特許文献１】特開２００４−２７６５７６号公報
【考案の開示】
【考案が解決しようとする課題】
【０００６】
本考案が解決しようとする問題点は、写真と色紙とを別々に、かつ、一体的に保持できて、色紙に対して寄せ書き等を記載するスペースを十分に確保できるような写真貼付機能付色紙保持具が存在しない点である。
【課題を解決するための手段】
【０００７】
本考案に係る写真貼付機能付色紙保持具は、色紙と、写真を貼付可能な写真用貼付用紙と、前記色紙を貼付する色紙貼付領域及び前記写真用貼付用紙を貼付する写真用貼付用紙貼付領域を有する台紙と、を含むことを最も主要な特徴とする。
【考案の効果】
【０００８】
請求項１、２記載の考案によれば、本来の記載スペースいっぱいに寄せ書き等が記載された色紙と、記念写真等の写真とが保持され、贈答価値の高いアルバム形態の写真貼付機能付色紙保持具を提供することができる。
【０００９】
請求項３記載の考案によれば、請求項１又は２記載の考案の効果を奏するとともに、台紙を中央部で折り畳み可能に構成しているので、保管に便利であるとともに、山形状に開いて机上に装飾的に立てて眺めることも可能な鑑賞用としても有益であり、更に縦長の写真又は横長の写真にも対応できる写真貼付機能付色紙保持具を提供することができる。
【００１０】
請求項４記載の考案によれば、台紙と、色紙と、写真用貼付用紙と、貼付材とがセット構成とされているので、記念式典等に際して、贈答価値が高く、また、保管に便利で観賞用としても有益な前記写真貼付機能付色紙保持具を容易に作成することができる写真貼付機能付色紙保持具セットを提供することができる。
【００１１】
請求項５記載の考案によれば、請求項３記載の考案と同様な効果を奏し、かつ、色紙や写真の収容能力が大きいアルバム形態の写真貼付機能付色紙保持具を提供することができる。
【００１２】
請求項６記載の考案によれば、請求項４記載の考案と同様、記念式典等に際して、贈答価値が高く、また、保管に便利で観賞用としても有益であり、しかも、色紙や写真の収容能力が大きい写真貼付機能付色紙保持具を容易に作成することができる写真貼付機能付色紙保持具セットを提供することができる。
【考案を実施するための最良の形態】
【００１３】
本考案は、写真と色紙とを別々に、かつ、一体的に保持でき、色紙に対して寄せ書き等を記載するスペースを十分に確保できるような写真貼付機能付色紙保持具を提供するという目的を有するものである。
【００１４】
本考案の写真貼付機能付色紙保持具は、色紙貼付領域と、写真用貼付用紙貼付領域とを左右配置に具備し、中央部で折り畳み可能に構成した台紙における前記色紙貼付領域に色紙を貼付し、前記写真用貼付用紙貼付領域に横長配置又は縦長配置に写真を貼付可能な写真用貼付用紙を貼付した構成により上記目的を実現した。
【実施例】
【００１５】
以下に、本考案の実施例に係る写真貼付機能付色紙保持具及び写真貼付機能付色紙保持具セットについて詳細に説明する。
【００１６】
（実施例１）
本考案の実施例１に係る写真貼付機能付色紙保持具１及び写真貼付機能付色紙保持具セット２１について図１乃至図４を参照して説明する。
【００１７】
本実施例１に係る写真貼付機能付色紙保持具１は、図１、図２に完成状態で、また、図３にセット態様で示すように、例えば適宜の装飾加工を施した厚紙等から形成され、内面中央部を境として折り畳み可能に構成した全体として四角形状を呈する台紙２と、この台紙２の内面右側を占める四角形状の色紙貼付領域３と、前記台紙２の内面左側を占める四角形状の写真用貼付用紙貼付領域４と、前記色紙貼付領域３に後述する貼付材１０を用いて貼付した四角形状で文字や絵等を記載する色紙５と、前記写真用貼付用紙貼付領域４に貼付した四角形状で特定の者（例えば受賞者）の人物像等を表示済みの写真７を貼付材１０を用いて貼り付ける写真用貼付用紙６と、を有している。
【００１８】
前記台紙２の外面には、例えば図２に示すように、「○○記念」等のタイトル文字等が付されるようになっている。
【００１９】
前記色紙５のサイズとしては前記色紙貼付領域３よりも小寸法に、前記写真用貼付用紙６のサイズとしては前記写真用貼付用紙貼付領域４よりも小寸法に各々選定されるようになっている。
【００２０】
前記写真用貼付用紙６は、図４に示すように、例えば、その中央部に写真７用の四角形状のくり抜き穴８を具備し、このくり抜き穴８を塞ぐように写真７を貼り付けるとともに、貼付材１０を用いて前記写真７を写真用貼付用紙６上に貼り付けるようになっている。
【００２１】
この場合、前記写真用貼付用紙６のくり抜き穴８の形状は、図４左欄に示す縦長状又は図４右欄に示す横長状のいずれかの形態を適宜採用し、縦長の写真７又は横長の写真７のいずれかを貼り付けるように構成している。
【００２２】
図３は、本実施例１に係る写真貼付機能付色紙保持具セット２１を示すものであり、前記台紙２と、色紙５と、写真用貼付用紙６と、更に、前記色紙５、写真用貼付用紙６及び写真７を、各々前記台紙２の色紙貼付領域３、写真用貼付用紙貼付領域４や写真用貼付用紙６に各々貼り付けるための貼付材１０を加えたセット構成としたものである。
【００２３】
前記貼付材１０としては、例えば、接着糊１１を内部に収容したチューブ１２及び蓋１３からなる構成、又は図示しないが両面接着テープからなる構成等々を挙げることができる。
【００２４】
上述した本実施例１に係る写真貼付機能付色紙保持具１によれば、前記台紙２の内面右側の色紙貼付領域３に前記貼付材１０を用いて例えば受賞者等特定の者に対する周囲の者の寄せ書き等がスペースいっぱいに記載された色紙５を貼り、また、前記台紙２の内面左側の写真用貼付用紙貼付領域４に前記貼付材１０を用いて写真用貼付用紙６を各々貼り付け、更に写真用貼付用紙６に前記貼付材１０を用いて例えば受賞者の記念写真等のような写真７を貼り付けることで、前記色紙５と写真７とを別々に、かつ、一体的にアルバム形態で保持することができる。
【００２５】
すなわち、本実施例１によれば、本来のスペースいっぱいに寄せ書き等が記載された色紙５と、記念写真等の写真７とが保持され、贈答価値の高いアルバム形態の写真貼付機能付色紙保持具１を提供できる。
【００２６】
また、本実施例１によれば、前記台紙２が折り畳み形態であるため、贈答を受けた特定の者にとって、閉じて本棚等に収納できる等保管に便利であるとともに、山形状に開いて机上に装飾的に立てて眺めることも可能な鑑賞用としても有益な写真貼付機能付色紙保持具１を提供できる。
【００２７】
上述した本実施例１に係る写真貼付機能付色紙保持具セット２１によれば、前記台紙２と、色紙５と、写真用貼付用紙６と、貼付材１０とがセット構成とされているので、この写真貼付機能付色紙保持具セット２１を予め購入等して用意しておくことで、記念式典等に際して、贈答価値が高く、また、保管に便利で観賞用としても有益な前記写真貼付機能付色紙保持具１を容易に作成することができる。
【００２８】
（実施例２）
次に、本考案の実施例２に係る写真貼付機能付色紙保持具３１及び写真貼付機能付色紙保持具セット４１について図５、図６を参照して説明する。
【００２９】
なお、本実施例２に係る写真貼付機能付色紙保持具３１及び写真貼付機能付色紙保持具セット４１において、実施例１の写真貼付機能付色紙保持具１及び写真貼付機能付色紙保持具セット２１の要素と同一の要素には同一の符号を付して示す。
本実施例２に係る写真貼付機能付色紙保持具３１は、基本的構成は実施例１に係る写真貼付機能付色紙保持具１と同様であるが、図５に示すように、前記台紙２に替えて複数枚の紙葉を冊子状に綴り折り畳み可能に形成した冊子状台紙３２を用い、例えば３枚の色紙５と、写真７用の例えば３枚の写真用貼付用紙６とを別々に、かつ、一体的にアルバム形態で保持するように構成したことが特徴である。
【００３０】
すなわち、この写真貼付機能付色紙保持具３１は、図５に示すように、３頁分の色紙貼付領域３ａ、３ｂ、３ｃと、３頁分の写真用貼付用紙貼付領域４ａ、４ｂ、４ｃを備えた冊子状台紙３２を具備し、この冊子状台紙３２の前記色紙貼付領域３ａ、３ｂ、３ｃに各々３枚の色紙５を、前記写真用貼付用紙貼付領域４ａ、４ｂ、４ｃに各々３枚の写真７を貼付する構成としたものである。
【００３１】
図６は、本実施例２に係る写真貼付機能付色紙保持具セット４１を示すものであり、前記冊子状台紙３２と、３枚の色紙５と、３枚の写真用貼付用紙６とを有し、更に、前記各色紙５、各写真用貼付用紙６及び写真７を、前記冊子状台紙３２上の該当する各領域に貼り付けるための前記貼付材１０を加えたセット構成としたものである。
【００３２】
本実施例２によれば、冊子状台紙３２によって本来のスペースいっぱいに寄せ書き等が記載された例えば３枚の色紙５と、３枚の記念写真等の写真７とが保持され、贈答価値の高く、かつ、色紙５や写真７の収容能力が大きいアルバム形態の写真貼付機能付色紙保持具３１を提供できる。
【００３３】
また、本実施例２によれば、前記冊子状台紙３２が折り畳み形態であるため、実施例１の場合と同様、贈答を受けた特定の者にとって、閉じて本棚等に収納できる等保管に便利であるとともに、山形状に開いて机上に装飾的に立てて眺めることも可能な鑑賞用としても有益な写真貼付機能付色紙保持具３１を提供できる。
上述した本実施例２に係る写真貼付機能付色紙保持具セット４１によれば、前記冊子状台紙３２と、３枚の色紙５と、３枚の写真用貼付用紙６と、貼付材１０とがセット構成とされているので、この写真貼付機能付色紙保持具セット４１を予め購入等して用意しておくことで、記念式典等に際して、贈答価値が高く、色紙５や写真７の収容能力が大きく、更には保管に便利で観賞用としても有益な前記写真貼付機能付色紙保持具３１を容易に作成することができる。
【００３４】
なお、本実施例２に係る写真貼付機能付色紙保持具３１、写真貼付機能付色紙保持具セット４１において、前記冊子状台紙３２の頁数、写真用貼付用紙６の枚数、色紙５の枚数は上述した場合に限定されるものではなく、更に多数の頁数、多数の枚数としても実施可能であることはもちろんである。
【産業上の利用可能性】
【００３５】
本考案に係る写真貼付機能付色紙保持具は、上述した場合の他、色紙のみを貼り付ける保持具としたり、写真のみを貼り付ける保持具（アルバム）としたり等の応用が可能である。
【図面の簡単な説明】
【００３６】
【図１】本考案の実施例１に係る写真貼付機能付色紙保持具の開状態の概略斜視図である。
【図２】本実施例１に係る写真貼付機能付色紙保持具の閉状態の概略斜視図である。
【図３】本実施例１に係る写真貼付機能付色紙保持具セットの概略斜視図である。
【図４】本実施例１に係る写真貼付機能付色紙保持具における写真用貼付用紙のくり抜き穴の２種の形状を示す説明図である。
【図５】本考案の実施例２に係る写真貼付機能付色紙保持具の概略斜視図である。
【図６】本実施例２に係る写真貼付機能付色紙保持具セットの概略斜視図である。
【符号の説明】
【００３７】
１    写真貼付機能付色紙保持具
２    台紙
３    色紙貼付領域
３ａ  色紙貼付領域
３ｂ  色紙貼付領域
３ｃ  色紙貼付領域
４    写真用貼付用紙貼付領域
４ａ  写真用貼付用紙貼付領域
４ｂ  写真用貼付用紙貼付領域
４ｃ  写真用貼付用紙貼付領域
５    色紙
６    写真用貼付用紙
７    写真
８    くりぬき穴
１０    貼付材
１１    接着糊
１２    チューブ
１３    蓋
２１    写真貼付機能付色紙保持具セット
３１    写真貼付機能付色紙保持具
３２    冊子状台紙
４１    写真貼付機能付色紙保持具セット
【図１】
0003140683.tif 000003
【図２】
0003140683.tif 000004
【図３】
0003140683.tif 000005
【図４】
0003140683.tif 000006
【図５】
0003140683.tif 000007
【図６】
0003140683.tif 000008